(57)【要約】【課題】光源の交換作業や清掃作業が容易な照明器具を提供する。【解決手段】壁面に後面が対向する形で設置され前面側に光源であるランプを着脱自在に保持するランプソケット６が配置された器具本体２と、器具本体２の前面側にランプを覆うように取着され上方および下方が開放されたカバー３と、カバー３の各開放部分に配設される２つのルーバ７，７とを備えている。ここに、ルーバ７は、フレーム７１の内側に複数の遮光板７２を有している。器具本体２の両側面に枢着用凹部２３，２３を形成する一方でルーバ７には枢着用凸部７３，７３を突設し、各ルーバ７は、カバー３の開放部分を開放する位置と塞ぐ位置との間で開閉自在となるようにフレーム７１を器具本体２に枢着してある。【選択図】　　　図１
2004022315.tif 000002
【特許請求の範囲】
【請求項１】
壁面に後面が対向する形で設置され前面側に光源が配置された器具本体と、器具本体の前面側に光源を覆うように取着され上方が開放されたカバーと、カバーの開放部分に配設され複数の遮光板を保持するフレームを有するルーバとを備え、ルーバは、カバーの開放部分を開放する位置と塞ぐ位置との間で開閉自在となるように器具本体にフレームを枢着してなることを特徴とする照明器具。
【請求項２】
壁面に後面が対向する形で設置され前面側に光源が配置された器具本体と、器具本体の前面側に光源を覆うように取着され下方が開放されたカバーと、カバーの開放部分に配設され複数の遮光板を保持するフレームを有するルーバとを備え、ルーバは、カバーの開放部分を開放する位置と塞ぐ位置との間で開閉自在となるようにフレームを器具本体に枢着し、前記カバーの開放部分を塞ぐ位置で前記器具本体に設けた固定用凹部に係脱自在に係合する固定用凸部が設けられてなることを特徴とする照明器具。
【請求項３】
壁面に後面が対向する形で設置され前面側に光源が配置された器具本体と、器具本体の前面側に光源を覆うように取着され上方および下方が開放されたカバーと、カバーの各開放部分に配設されフレームの内側に複数の遮光板を有する２つのルーバとを備え、各ルーバは、カバーの開放部分を開放する位置と塞ぐ位置との間で開閉自在となるようにフレームを器具本体に枢着し、前記カバーの開放部分を塞ぐ位置で前記器具本体に設けた固定用凹部に係脱自在に係合する固定用凸部が設けられてなることを特徴とする照明器具。
【請求項４】
前記器具本体の左右両側面にそれぞれ枢着用凹部が形成されるとともに、前記ルーバの前記フレームから枢着用凹部にそれぞれ係合する断面非円形の一対の枢着用凸部が突設され、前記器具本体の左右両側面には、枢着用凹部の周部の一部に連続し且つ前記器具本体の後方が開放され前記ルーバを前記開放部分を塞ぐ位置から９０°よりも大きな規定角度だけ回動させた位置で枢着用凸部を前記器具本体の前後方向へ移動可能とする着脱用溝がそれぞれ形成されてなることを特徴とする請求項１ないし請求項３のいずれかに記載の照明器具。
【請求項５】
前記ルーバは、前記フレームの一端側に枢着部が設けられ、前記フレームの他端側において前記フレームの内面に前記ルーバの開閉操作用の指掛突起が突設され、前記複数の遮光板のうち指掛突起近傍の遮光板には指入れ用の切欠部が形成されてなることを特徴とする請求項１ないし請求項３のいずれかに記載の照明器具。
【発明の詳細な説明】
【０００１】
【発明の属する技術分野】
本発明は、壁面などの施工面に取り付けられる照明器具に関するものである。
【０００２】
【従来の技術】
従来より、壁面取り付け型の照明器具の一例として、図２０に示すような照明器具が提供されている。図２０に示す構成の照明器具は、壁面に後面が対向する形で設置され前面側に光源であるランプ１が配置された器具本体２’と、器具本体２’の前面側にランプ１を覆うように取着され上方が開放されたカバー３’と、カバー３’の開放部分を塞ぐように器具本体２’に取り付けられる遮光板４とを備えている。ここにおいて、器具本体２’には、遮光板４が取付ねじ５を用いて固定される固定金具１６が取着されている。また、器具本体２’の前面側にはランプ１が着脱自在に取着されるランプソケット６が設けられている。
【０００３】
なお、壁面取り付け型の照明器具としては、種々の形状のものが提案されており、例えば、上述の遮光板４の代わりに、ルーバを取り付けた構成のものも提案されている。また、ランプの上方に限らず、ランプの下方や、ランプの上下両方に、遮光板ないしルーバを配設した照明器具も提案されている。
【０００４】
【発明が解決しようとする課題】
ところで、上記従来構成の照明器具では、ランプ１の交換時、ランプ１の周辺（器具本体２’の前面側およびカバー３’の内面側など）の清掃時などに、取付ねじ５を緩めて遮光板４を取り外す必要があるので、ランプ交換作業や清掃作業が面倒で時間がかかり、しかも、取付ねじ５を紛失してしまう恐れがあった。また、遮光板４を固定するために固定金具１６および取付ねじ５が必要なので、部品点数が多く、組立作業も面倒になるという不具合があった。また、遮光板４の代わりにルーバを採用する場合にも同様の不具合があった。
【０００５】
本発明は上記事由に鑑みて為されたものであり、その目的は、光源の交換作業や清掃作業が容易な照明器具を提供することにある。
【０００６】
【課題を解決するための手段】
請求項１の発明は、上記目的を達成するために、壁面に後面が対向する形で設置され前面側に光源が配置された器具本体と、器具本体の前面側に光源を覆うように取着され上方が開放されたカバーと、カバーの開放部分に配設され複数の遮光板を保持するフレームを有するルーバとを備え、ルーバは、カバーの開放部分を開放する位置と塞ぐ位置との間で開閉自在となるように器具本体にフレームを枢着してなることを特徴とするものであり、器具本体からルーバを取り外さずにルーバをカバーの開放部分を開放する位置まで開くことにより、光源の交換作業や清掃作業を行うことが可能となるので、光源の交換作業や清掃作業が容易になる。また、ルーバを器具本体に取り付けるために取付ねじなどの別部材が不要なので、部品点数の削減によるコスト削減および組立作業性の向上を図れる。
【０００７】
請求項２の発明は、壁面に後面が対向する形で設置され前面側に光源が配置された器具本体と、器具本体の前面側に光源を覆うように取着され下方が開放されたカバーと、カバーの開放部分に配設され複数の遮光板を保持するフレームを有するルーバとを備え、ルーバは、カバーの開放部分を開放する位置と塞ぐ位置との間で開閉自在となるようにフレームを器具本体に枢着し、前記カバーの開放部分を塞ぐ位置で前記器具本体に設けた固定用凹部に係脱自在に係合する固定用凸部が設けられてなることを特徴とするものであり、器具本体からルーバを取り外さずにルーバをカバーの開放部分を開放する位置まで開くことにより、光源の交換作業や清掃作業を行うことが可能となるので、光源の交換作業や清掃作業が容易になる。また、ルーバを器具本体に取り付けるために取付ねじなどの別部材が不要なので、部品点数の削減によるコスト削減および組立作業性の向上を図れる。また、ルーバを開いた状態からカバーの開放部分を塞ぐ位置まで閉じたときに固定用凸部が固定用凹部に係合することによって、ルーバを閉じる作業をした人にクリック感を付与することができ、ルーバを閉じる作業が終了したことを認識させることができる。
【０００８】
請求項３の発明は、壁面に後面が対向する形で設置され前面側に光源が配置された器具本体と、器具本体の前面側に光源を覆うように取着され上方および下方が開放されたカバーと、カバーの各開放部分に配設されフレームの内側に複数の遮光板を有する２つのルーバとを備え、各ルーバは、カバーの開放部分を開放する位置と塞ぐ位置との間で開閉自在となるようにフレームを器具本体に枢着し、前記カバーの開放部分を塞ぐ位置で前記器具本体に設けた固定用凹部に係脱自在に係合する固定用凸部が設けられてなることを特徴とするものであり、器具本体からルーバを取り外さずにルーバをカバーの開放部分を開放する位置まで開くことにより、光源の交換作業や清掃作業を行うことが可能となるので、光源の交換作業や清掃作業が容易になる。また、ルーバを器具本体に取り付けるために取付ねじなどの別部材が不要なので、部品点数の削減によるコスト削減および組立作業性の向上を図れる。また、ルーバを開いた状態からカバーの開放部分を塞ぐ位置まで閉じたときに固定用凸部が固定用凹部に係合することによって、ルーバを閉じる作業をした人にクリック感を付与することができ、ルーバを閉じる作業が終了したことを認識させることができる。
【０００９】
請求項４の発明は、請求項１ないし請求項３の発明において、前記器具本体の左右両側面にそれぞれ枢着用凹部が形成されるとともに、前記ルーバの前記フレームから枢着用凹部にそれぞれ係合する断面非円形の一対の枢着用凸部が突設され、前記器具本体の左右両側面には、枢着用凹部の周部の一部に連続し且つ前記器具本体の後方が開放され前記ルーバを前記開放部分を塞ぐ位置から９０°よりも大きな規定角度だけ回動させた位置で枢着用凸部を前記器具本体の前後方向へ移動可能とする着脱用溝がそれぞれ形成されているので、前記器具本体を壁面に取り付けた状態では前記器具本体から前記ルーバを取り外すことができないから、前記ルーバの落下および紛失を防止することができる。
【００１０】
請求項５の発明は、請求項１ないし請求項３の発明において、前記ルーバは、前記フレームの一端側に枢着部が設けられ、前記フレームの他端側において前記フレームの内面に前記ルーバの開閉操作用の指掛突起が突設され、前記複数の遮光板のうち指掛突起近傍の遮光板には指入れ用の切欠部が形成されているので、前記カバーの開放部分に対する前記ルーバの開閉操作を行う際の操作性が向上する。
【００１１】
【発明の実施の形態】
本実施形態の照明器具は、例えば階段の近くなどで壁面に取り付けられて補助照明（間接照明）に利用されるものであり、図１および図２に示すように、壁面などの施工面に後面が対向する形で設置され前面側に光源であるランプ１が配置された合成樹脂製の器具本体２と、器具本体２の前面側にランプ１を覆うように取着され上方および下方が開放されたカバー３と、カバー３の各開放部分に配設される２つのルーバ７，７とを備えている。ここに、ルーバ７は、カバー３の上下の開放部分から出射する光の配光を制御するために設けてあり、フレーム７１の内側に複数の遮光板７２を有している。遮光板７２は短冊状の形状であって、長手方向が左右方向となるようにフレーム７１の左右一対の側枠７１ａ，７１ａに保持されている。
【００１２】
器具本体２は、外周形状が矩形状であって、中央よりやや上の部分に、ランプ１が着脱自在に装着されるランプソケット６が設けられており、金属板（鋼板）よりなる矩形板状の取付板８を用いて壁面に後面が対向する形で設置される。ここに、取付板８は、壁面から引き出してランプソケット６に接続する電源線（図示せず）を挿通するための円形状の電源穴８３が形成され、壁面に取り付けるための木ねじ（図示せず）が挿通される一対のねじ挿通孔８１，８１が電源穴８３の上下にそれぞれ形成されており、上記木ねじを用いて壁面に取り付けることができる。また、取付板８は、器具本体２に設けた左右一対の挿通孔２４，２４に挿通される一対のボルト８２，８２が電源穴８３の左右両側で前方へ突設されており、ボルト８２，８２を挿通孔２４，２４に挿通して各ボルト８２，８２に袋ナットからなるつまみねじ９，９を螺合させることによって器具本体２が固定されるようになっている。
【００１３】
カバー３は、水平断面形状がコ字状であって後方が開放されており、水平断面形状がＬ字状の一対の取付金具１０，１０を用いて器具本体２に結合されている。したがって、カバー３は、器具本体２に結合された状態で上方および下方が開放されている。取付金具１０は、器具本体２の後面側に固定ねじ１４，１４（図３参照）により固定される固定片１１と、カバー３の左右両側壁の内面に当接する形で取付ねじ１５，１５（図３参照）によりカバー３を取り付ける取付片１２とが連続一体に形成されている。なお、固定片１１には２つの固定ねじ１４，１４がそれぞれ挿通される２つのねじ挿通孔１１ａ，１１ａが形成され、取付片１２には２つの固定ねじ１５，１５がそれぞれ挿通されるねじ挿通孔１２ａ，１２ａが形成されている。なお、本実施形態におけるカバー３は合成樹脂製であるが、木製のものやガラス製のものを採用してもよい。
【００１４】
ところで、上述の各ルーバ７は、カバー３の開放部分を開放する位置と塞ぐ位置との間で開閉自在となるようにフレーム７１を器具本体２に枢着してある。ここにおいて、器具本体２は、上端部および下端部それぞれに、上述のルーバ７，７を開閉自在に取り付ける取付部２２，２２が設けられており、器具本体２の左右両側面であって取付部２２，２２に対応する部位にそれぞれ円形状に開口した枢着用凹部２３，２３（図４および図５参照）が形成されている。
【００１５】
ルーバ７は、合成樹脂（例えば、ポリカーボネート樹脂）を用いて例えば乳白色に形成されており、枢着用凹部２３，２３にそれぞれ係合する一対の枢着用凸部７３，７３（図４および図５参照）がフレーム７１の両側枠７１ａ，７１ａから突設されている。すなわち、ルーバ７における枢着用凸部７３，７３は、両側枠７１ａ，７１ａの一端部同士において互いに対向する面から突設されている。
【００１６】
ここにおいて、各枢着用凸部７３は、器具本体２の左右方向に直交する断面形状が長方形状に形成されている（つまり、各枢着用凸部７３の断面形状は非円形である）。その一方で、器具本体２の左右両側面には、枢着用凹部２３の周部の一部に連続し且つ器具本体２の後方が開放されルーバ７，７を開放部分を塞ぐ位置から９０°よりも大きな規定角度（本実施形態では、９０°よりも２０°大きい１１０°）だけ回動させた位置で枢着用凸部７３を器具本体２の前後方向へ移動可能とする着脱用溝２５，２５（図４および図５参照）がそれぞれ形成されている。ここに、器具本体２の左右方向に直交する断面において、着脱用溝２５の上下方向の幅は枢着用凹部２３の最大径（内径）よりも小さく且つ枢着用凸部７３の短辺の長さよりもやや大きな寸法に設定してあり、枢着用凸部７３の長辺の長さは、枢着用凹部２３の最大径（内径）よりもやや小さく且つ着脱用溝２５の上下方向の幅よりも大きい寸法に設定してある（図６参照）。
【００１７】
したがって、器具本体２を図６（ｂ），（ｃ）に示すように壁面Ｗに取り付けた状態では、図７に示すようにルーバ７の最大回動角が９０°となり、器具本体２からルーバ７，７を取り外すことができないから、ルーバ７，７の落下および紛失を防止することができる。すなわち、器具本体２を壁面Ｗに取り付けていない状態では、図５および図６（ａ）に示すように器具本体２の左右方向に直交する平面における枢着用凸部７３の長手方向を器具本体２の前後方向に揃えることができるので、例えば組立時などにルーバ７を器具本体２に枢着するには、図５に示すようにルーバ７を器具本体２の後面に対してほぼ２０°だけ傾けた状態でルーバ７の枢着用凸部７３を図５中の矢印Ｂの向き（前方）へ移動させて着脱用溝２５を通して枢着用凸部７３に導入して係合させればよい。一方、ルーバ７を器具本体２から取り外すには、器具本体２が壁面Ｗに取り付けられていない状態で、図６（ａ）に示すように枢着用凸部７３の長手方向を器具本体２の前後方向に揃えて枢着用凸部７３を着脱用溝２５を通して器具本体２の後面から脱出させればよい。なお、図５および図６にはカバー３の下方の開放部分を塞ぐルーバ７について示してあるが、カバー３の上方の開放部分を塞ぐルーバ７についても同様に着脱することができる。
【００１８】
ところで、各ルーバ７は、図１および図４に示すように、各フレーム７１の両側枠７１ａ，７１ａに、カバー３の開放部分を塞ぐ位置で器具本体１の左右両側面にそれぞれ設けた固定用凹部２６，２６に係脱自在に係合する２つ固定用凸部７５を設けてある。ここにおいて、各固定用凸部７５は側枠７１ａの一端部において側枠７１ａの短手方向の一側縁から延設した固定片７１ｂに突設してある。したがって、図８に示すようにルーバ７を開いた状態から図９に示すようにカバー３の下方の開放部分を塞ぐ位置まで閉じる際に固定用凸部７５が固定用凹部２６に近づくにつれて図１０に示すように固定片７１ｂが撓んで、カバー３の開放部分を塞ぐ位置まで閉じたときに、固定用凸部７５が固定用凹部２６に係合することによって、図１１および図１２に示すように、両ルーバ７を互いに平行な面内上に位置させることができ、両ルーバ７が自重によって傾いたり開いたりするのを防止することができる。また、固定用凸部７５が固定用凹部２６に係合することによって、ルーバ７を閉じる作業をした人にクリック感を付与することができ、ルーバ７を閉じる作業が終了したことを認識させることができる。
【００１９】
以上説明した本実施形態の照明器具では、器具本体２からルーバ７を取り外さずにルーバ７をカバー３の開放部分を開放する位置まで開くことにより、ランプ１の交換作業や清掃作業を行うことが可能となるので、ランプ１の交換作業やランプ１の周辺の清掃作業が容易になる。また、ルーバ７を器具本体１に取り付けるために取付ねじなどの別部材が不要なので、部品点数の削減によるコスト削減および組立作業性の向上を図れる。
【００２０】
ところで、ルーバ７は上述のように一対の側枠７１ａ，７１ａの各一端部に枢着用凸部７３よりなる枢着部が突設されており、他端部同士が横片７１ｃで連続一体に連結されているが、本実施形態では、図１５に示すように、横片７１ｃの内面に、ルーバ７の開閉操作用の指掛突起７７が突設されており、指掛突起７７に指を引掛けることができるようになっている。また、指掛突起７７近傍の遮光板７２には、図１３〜図１６に示すように、指入れ用の切欠部７２ａが短手方向の一側縁に形成されており、指掛突起７７に指を引掛ける際に、指をフレーム７１の内側に入れやすくなっている。すなわち、ルーバ７は、フレーム７１の一端側に枢着部が設けられ、フレーム７１の他端側においてフレーム７１の内面にルーバ７の開閉操作用の指掛突起７７が突設され、複数の遮光板７２のうち指掛突起７７近傍の遮光板７２には指入れ用の切欠部７２ａが形成されているので、図１７に示すように、横片７１ｃを２本の指で摘んで開閉操作するような場合に、２本の指のうちの１本を指掛突起７７に容易に引掛けることができ、カバー３の開放部分に対するルーバ７の開閉操作を行う際の操作性が向上する。ここにおいて、切欠部７２ａを形成した遮光板７２の隣りの遮光板７２については、カバー３の上方や下方からランプ１が直接見えないように形状を変更することが好ましく、例えば、図１８ないし図１９に示すように、遮光板７２の短手方向の他側縁から補助遮光片７２ｂを延設すればよい。
【００２１】
なお、上記実施形態では、上方および下方が開放されたカバー３を備えた照明器具について説明したが、上方と下方との少なくとも一方が開放されたカバー３を備え、開放部分を塞ぐようにルーバ７が器具本体１に枢着された構成を採用してもよい。
【００２２】
【発明の効果】
請求項１の発明は、壁面に後面が対向する形で設置され前面側に光源が配置された器具本体と、器具本体の前面側に光源を覆うように取着され上方が開放されたカバーと、カバーの開放部分に配設され複数の遮光板を保持するフレームを有するルーバとを備え、ルーバは、カバーの開放部分を開放する位置と塞ぐ位置との間で開閉自在となるように器具本体にフレームを枢着してなるものであり、器具本体からルーバを取り外さずにルーバをカバーの開放部分を開放する位置まで開くことにより、光源の交換作業や清掃作業を行うことが可能となるので、光源の交換作業や清掃作業が容易になるという効果がある。また、ルーバを器具本体に取り付けるために取付ねじなどの別部材が不要なので、部品点数の削減によるコスト削減および組立作業性の向上を図れるという効果がある。
【００２３】
請求項２の発明は、壁面に後面が対向する形で設置され前面側に光源が配置された器具本体と、器具本体の前面側に光源を覆うように取着され下方が開放されたカバーと、カバーの開放部分に配設され複数の遮光板を保持するフレームを有するルーバとを備え、ルーバは、カバーの開放部分を開放する位置と塞ぐ位置との間で開閉自在となるようにフレームを器具本体に枢着し、前記カバーの開放部分を塞ぐ位置で前記器具本体に設けた固定用凹部に係脱自在に係合する固定用凸部が設けられてなるものであり、器具本体からルーバを取り外さずにルーバをカバーの開放部分を開放する位置まで開くことにより、光源の交換作業や清掃作業を行うことが可能となるので、光源の交換作業や清掃作業が容易になるという効果がある。また、ルーバを器具本体に取り付けるために取付ねじなどの別部材が不要なので、部品点数の削減によるコスト削減および組立作業性の向上を図れるという効果がある。また、ルーバを開いた状態からカバーの開放部分を塞ぐ位置まで閉じたときに固定用凸部が固定用凹部に係合することによって、ルーバを閉じる作業をした人にクリック感を付与することができ、ルーバを閉じる作業が終了したことを認識させることができるという効果がある。
【００２４】
請求項３の発明は、壁面に後面が対向する形で設置され前面側に光源が配置された器具本体と、器具本体の前面側に光源を覆うように取着され上方および下方が開放されたカバーと、カバーの各開放部分に配設されフレームの内側に複数の遮光板を有する２つのルーバとを備え、各ルーバは、カバーの開放部分を開放する位置と塞ぐ位置との間で開閉自在となるようにフレームを器具本体に枢着し、前記カバーの開放部分を塞ぐ位置で前記器具本体に設けた固定用凹部に係脱自在に係合する固定用凸部が設けられてなるものであり、器具本体からルーバを取り外さずにルーバをカバーの開放部分を開放する位置まで開くことにより、光源の交換作業や清掃作業を行うことが可能となるので、光源の交換作業や清掃作業が容易になるという効果がある。また、ルーバを器具本体に取り付けるために取付ねじなどの別部材が不要なので、部品点数の削減によるコスト削減および組立作業性の向上を図れるという効果がある。また、ルーバを開いた状態からカバーの開放部分を塞ぐ位置まで閉じたときに固定用凸部が固定用凹部に係合することによって、ルーバを閉じる作業をした人にクリック感を付与することができ、ルーバを閉じる作業が終了したことを認識させることができるという効果がある。
【００２５】
請求項４の発明は、請求項１ないし請求項３の発明において、前記器具本体の左右両側面にそれぞれ枢着用凹部が形成されるとともに、前記ルーバの前記フレームから枢着用凹部にそれぞれ係合する断面非円形の一対の枢着用凸部が突設され、前記器具本体の左右両側面には、枢着用凹部の周部の一部に連続し且つ前記器具本体の後方が開放され前記ルーバを前記開放部分を塞ぐ位置から９０°よりも大きな規定角度だけ回動させた位置で枢着用凸部を前記器具本体の前後方向へ移動可能とする着脱用溝がそれぞれ形成されているので、前記器具本体を壁面に取り付けた状態では前記器具本体から前記ルーバを取り外すことができないから、前記ルーバの落下および紛失を防止することができるという効果がある。
【００２６】
請求項５の発明は、請求項１ないし請求項３の発明において、前記ルーバは、前記フレームの一端側に枢着部が設けられ、前記フレームの他端側において前記フレームの内面に前記ルーバの開閉操作用の指掛突起が突設され、前記複数の遮光板のうち指掛突起近傍の遮光板には指入れ用の切欠部が形成されているので、前記カバーの開放部分に対する前記ルーバの開閉操作を行う際の操作性が向上するという効果がある。
【図面の簡単な説明】
【図１】実施形態を示す照明器具の概略分解斜視図である。
【図２】同上の照明器具の概略構成図である。
【図３】同上の照明器具の要部分解斜視図である。
【図４】同上の要部分解斜視図である。
【図５】同上における器具本体へのルーバの取り付け方の説明図である。
【図６】同上における器具本体とルーバとの関係の説明図である。
【図７】同上における照明器具の設置状態でのルーバの回動範囲の説明図である。
【図８】同上においてルーバを開いた状態の概略斜視図である。
【図９】同上においてルーバをカバーの開放部分を塞ぐ位置にした状態の概略斜視図である。
【図１０】同上におけるルーバの閉じ方説明図である。
【図１１】同上においてルーバをカバーの開放部分を塞ぐ位置にした状態の概略斜視図である。
【図１２】同上においてルーバをカバーの開放部分を塞ぐ位置にした状態の概略側面図である。
【図１３】同上においてルーバをカバーの開放部分を塞ぐ位置にした状態の概略斜視図である。
【図１４】同上におけるルーバの概略斜視図である。
【図１５】同上における下側のルーバの一部破断した断面図である。
【図１６】同上に用いる遮光板の正面図である。
【図１７】同上における下側のルーバの開閉操作方法の説明図である。
【図１８】同上に用いる遮光板の説明図である。
【図１９】同上に用いる遮光板の説明図である。
【図２０】従来例を示す概略分解斜視図である。
【符号の説明】
１　ランプ
２　器具本体
３　カバー
６　ランプソケット
７　ルーバ
２３　枢着用凹部２３
７１　フレーム
７２　遮光板
７３枢着用凸部
【図１】
2004022315.tif 000003
【図２】
2004022315.tif 000004
【図３】
2004022315.tif 000005
【図４】
2004022315.tif 000006
【図５】
2004022315.tif 000007
【図６】
2004022315.tif 000008
【図７】
2004022315.tif 000009
【図８】
2004022315.tif 000010
【図９】
2004022315.tif 000011
【図１０】
2004022315.tif 000012
【図１１】
2004022315.tif 000013
【図１２】
2004022315.tif 000014
【図１３】
2004022315.tif 000015
【図１４】
2004022315.tif 000016
【図１５】
2004022315.tif 000017
【図１６】
2004022315.tif 000018
【図１７】
2004022315.tif 000019
【図１８】
2004022315.tif 000020
【図１９】
2004022315.tif 000021
【図２０】
2004022315.tif 000022